(57)【特許請求の範囲】
【請求項１】
竿体と、
前記竿体の竿元側端部に軸方向に移動可能に連結され、穂先側に収納された収納位置と竿元側に延伸した延伸位置とをとり得る竿尻部とを備え、
前記竿体は竿元端部より軸方向に形成された連結孔を有し、
前記竿尻部は本体部と前記本体部より軸方向に延伸し、前記連結孔に挿入されるする連結軸とを有し、
前記竿尻部を前記竿体に少なくとも前記収納位置と延伸位置で固定する固定手段を備えた魚釣りに用いる釣竿であって、
前記固定手段が、
前記連結孔の内周面に形成された他の部分より内径が大きい係合溝と、前記連結軸の先端部に固定された前記係合溝に係合するゴム部材とよりなる、釣竿。
【請求項２】
前記固定手段における係合溝が、前記収納位置と延伸位置との間に所定の間隔を隔てて複数形成されている、請求項１に記載の釣竿。
【請求項３】
竿体と、
前記竿体の竿元側端部に軸方向に移動可能に連結され、穂先側に収納された収納位置と竿元側に延伸した延伸位置とをとり得る竿尻部とを備え、
前記竿体は竿元端部より軸方向に形成された連結孔を有し、
前記竿尻部は本体部と前記本体部より軸方向に延伸し、前記連結孔に挿入されるする連結軸とを有し、
前記竿尻部を前記竿体に少なくとも前記収納位置と延伸位置で固定する固定手段を備えた魚釣りに用いる釣竿であって、
前記固定手段が、
前記連結孔の穂先側に形成された穂先側ほど内径が大きくなるテーパー部と、元竿側端部に形成された竿元側ほど内径が大きくなる逆テーパ部と、
前記連結孔のテーパ部と嵌合する穂先側ほど大径となるテーパ状の部材である前記竿尻部の連結軸と、前記連結孔の逆テーパ部と嵌合する嵌合部を形成した前記竿尻部の本体部とより構成されている、釣竿。
【発明の詳細な説明】
【０００１】
【発明の属する技術分野】
本発明は、魚釣りに用いる釣竿に関する。
【０００２】
【従来の技術】
従来の釣竿は、元竿と、元竿の穂先側に振り出し形式または並継ぎ形式で連結された複数の中竿と、中竿の穂先側に連結された穂先竿とを有している。この元竿は、竿元側端部に設けられたリアグリップと、リアグリップの穂先側に設けられリールを取り付け可能なリールシートとを有している。
【０００３】
この従来の釣竿では、リールシートにリールを取り付け、リアグリップを把持しつつリール操作を行いキャスティング，リトリーブ等を行う。
【０００４】
【発明が解決しようとする課題】
キャスティング後のリトリーブ時や釣糸の巻き上げ時において、穂先側の竿のぶれを抑えるために、元竿の竿元側端部を身体の一部（例えば、腹部）に当ててリール操作を行うことがある。
しかし、従来の釣竿の中にはリールシートから元竿の竿元側端部までの距離が短く、元竿の竿元側端部を身体の一部に当てながらリール操作を行うのは難しい場合がある。特にルアー釣り用のルアーロッドでは、キャスティング性や運搬性等を考慮してリールシートが元竿の竿元側近くに設けられているものが多い。このような釣竿においても、必要に応じてリールと元竿の竿尻との間の長さを変更したい場合がある。
【０００５】
本発明の課題は、必要に応じて元竿の竿元側端部を伸縮させて身体に当てることができ、リトリーブ等の操作が容易な釣竿を提供することにある。
【０００６】
【課題を解決するための手段】
発明１にかかる釣竿は、竿体と、前記竿体の竿元側端部に軸方向に移動可能に連結され、穂先側に収納された収納位置と竿元側に延伸した延伸位置とをとり得る竿尻部とを備え、前記竿体は竿元端部より軸方向に形成された連結孔を有し、前記竿尻部は本体部と前記本体部より軸方向に延伸し、前記連結孔に挿入されるする連結軸とを有し、前記竿尻部を前記竿体に少なくとも前記収納位置と延伸位置で固定する固定手段を備えた魚釣りに用いる釣竿であって、前記固定手段が、前記連結孔の内周面に形成された他の部分より内径が大きい係合溝と、前記連結軸の先端部に固定された前記係合溝に係合するゴム部材とよりなる。
キャスティング等を行い竿体を身体の一部に押しつける必要がない場合には、竿尻部を穂先側に収納した収納位置に移動させて用いる。そしてキャスティング後において竿体を身体の一部に押しつけながらリトリーブ等のリール操作を行う場合には、竿尻部を軸方向に竿元側に延伸させて延伸位置に移動させる。このように延伸位置に竿尻部を移動させることにより、釣竿の竿元側端部とリールとの距離が伸びて、竿尻部を身体の一部に当てながら穂先側のぶれを抑えつつ容易にリール操作を行うことが可能になる。なお、ここで用いる竿尻部とは、筒状の竿体とは別に形成され竿体の竿尻側端部に配置される部材である。
そして、連結軸が連結孔内に移動自在に挿入されることにより竿尻部は竿体に連結されている。この場合には、連結軸を連結孔に挿入して連結軸に固定されたゴム部材を連結孔の内周面に形成された係止溝に係止させることにより、竿尻部を竿体に連結しているので、竿尻部の軸方向への移動を容易に行うことができる。さらに、竿尻部をコンパクトに収納でき外観上も違和感がなく持ち運びやすい。
【０００７】
発明２にかかる釣竿は、発明１の釣竿であって、収納位置と延伸位置との間の任意の位置で竿尻部を竿体に固定する固定手段をさらに備えている。この場合には、固定手段が収納位置と延伸位置との間の任意の箇所で竿尻部を竿体に固定する。ユーザは各ユーザの身体の大きさや釣り環境に応じて、様々な長さに竿尻部を伸ばした状態で竿体に固定でき、さらにリトリーブ等のリール操作が容易になる。
【０００８】
発明３にかかる釣竿は、竿体と、前記竿体の竿元側端部に軸方向に移動可能に連結され、穂先側に収納された収納位置と竿元側に延伸した延伸位置とをとり得る竿尻部とを備え、前記竿体は竿元端部より軸方向に形成された連結孔を有し、前記竿尻部は本体部と前記本体部より軸方向に延伸し、前記連結孔に挿入されるする連結軸とを有し、前記竿尻部を前記竿体に少なくとも前記収納位置と延伸位置で固定する固定手段を備えた魚釣りに用いる釣竿であって、前記固定手段が、前記連結孔の穂先側に形成された穂先側ほど内径が大きくなるテーパー部と、元竿側端部に形成された竿元側ほど内径が大きくなる逆テーパ部と、前記連結孔のテーパ部と嵌合する穂先側ほど大径となるテーパ状の部材である前記竿尻部の連結軸と、前記連結孔の逆テーパ部と嵌合する嵌合部を形成した前記竿尻部の本体部とより構成されている。
このように構成された釣竿では、キャスティング等を行う場合や運搬時など竿尻部を身体の一部に押しつける必要がない場合には、連結軸を連結孔の穂先側まで挿入して嵌合部を逆テーパ部に嵌合させて固定する。一方、キャスティング後において竿尻部を身体の一部に押しつけながらリトリーブ等のリール操作を行う場合には、連結軸を連結孔の竿元側に引き出して竿元側に延伸させて延伸位置に移動させる。ここでは、連結軸のテーパと連結孔のテーパとが噛み合って竿尻部は元竿に固定される。発明１と同様に、竿尻部の軸方向への移動を容易に行うことができると共に、竿尻部をコンパクトに収納でき外観上も違和感がなく持ち運びやすい。
【００１２】
元竿１及び竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸を挿通可能なラインガイド３が所定の間隔を隔てて複数設けられている。元竿１は、竿元側端部に配置されたリアグリップ４と、リアグリップ４の穂先側に設けられリール（図示せず）を装着可能なリールシート５と、リールシート５の穂先側に配置された前グリップ６とを有している。また、元竿１の竿元側端部には竿尻部１０が軸方向に移動可能に設けられている。
【００１３】
図２に示すように、リアグリップ４は、天然ゴム，スチレンゴムやブタジエンゴム等合成ゴム，ＥＶＡ樹脂またはコルク等の木材からなる円筒型部材であって、元竿１の竿元側にはめ込まれて接着材等で固定されている。
このリアグリップ４が設けられた元竿１の竿元側には、竿元側端部より軸方向に形成された連結孔２０が設けられている。この連結孔２０内には竿元側端部より所定の間隔を隔てて他の部分より内径が大きく形成された係止溝２０ａが設けられている。係止溝２０ａの数は任意であるが、後に詳しく説明する竿尻部１０が最も穂先側まで収納された収納位置及び最も竿元側まで引き延ばされた延伸位置の少なくとも２つの位置に合致するように、係止溝２０ａを連結孔２０内に形成する必要がある。
【００１４】
竿尻部１０は、元竿１の竿元側に合致するように形成された低円柱状の本体部１１と、本体部１１より穂先側に延伸して形成された棒状の連結軸１２とを有している。本体部１１及び連結軸１２は一体形成された金属または合成樹脂製の部材である。連結軸１２の先頭付近は他の部分に比べて大径なゴム部材１２ａが固定されている。そして、このゴム部材１２ａ側から連結軸１２が元竿１の連結孔２０に押し込まれて挿入された状態で、軸方向に移動可能なように竿尻部１０は元竿１に連結されている。
【００１５】
このように構成された釣竿では、キャスティング等を行う場合や運搬時など竿尻部１０を身体の一部に押しつける必要がない場合には、連結軸１２を連結孔２０の穂先側まで押し込んで竿尻部１０を穂先側に収納した収納位置に移動させる。ここで、ゴム部材１２ａが所定の係止溝２０ａに係止されて、竿尻部１０は竿体１に固定される。一方、キャスティング後において竿尻部１０を身体の一部に押しつけながらリトリーブ等のリール操作を行う場合には、連結軸１２を連結孔２０の竿元側に引き出して竿元側に延伸させて延伸位置に移動させる。ここでも、ゴム部材１２ａが所定の係止溝２０ａに係止されて、竿尻部１０は竿体１に固定される。また、収納位置と延伸位置との間の任意箇所にも係止溝２０ａが設けられており、この係止溝２０ａにゴム部材１２ａを係止させることにより、任意の位置で竿尻部１０を元竿１に固定可能である。
【００１６】
このように延伸位置に竿尻部１０を移動させることにより竿元側端部とリールとの距離が伸びて、竿尻部１０を身体の一部に当てながら容易にリール操作を行うことができる。この結果、必要に応じて穂先側のぶれを抑えながら釣り操作を容易に行うことができる。
［第２実施形態］
以下、本発明の第２実施形態について図面を参照しつつ説明する。
【００１７】
図３に示すように、本発明の第２実施形態を採用した釣竿のリアグリップ４は、第１実施形態と同様に、コルク等の木材や合成樹脂からなる部材であって、元竿１の竿元側にはめ込まれて接着材等で固定されている。
このリアグリップ４が設けられた元竿１の竿元側には、竿元側端部から軸方向に形成された連結孔２０が設けられている。この連結孔２０穂先側ほど内径が大きくなるようなテーパ状である。また、竿元側端部は逆に竿元側ほど内径が大きくなるようにテーパがつけられており逆テーパ部２０ｂとなっている。なお、元竿１の連結孔２０内周面には必要に応じて滑り止め用の凹凸（図示せず）を形成してもよい。
【００１８】
竿尻部３０は、元竿１の竿元側に合致するように形成された低円柱状の本体部３１と、本体部３１より穂先側に延伸して形成された棒状の連結軸３２とを有している。本体部３１の連結軸３２との連結付近は逆テーパ部２０ｂに嵌合可能な嵌合部３１ａとなっている。連結軸３２は穂先側ほど大径になるテーパ状の部材である。竿元側の端部にはネジ部３２ａが形成されており、本体部３１の嵌合部３１ａ付近に螺合して本体部３１と連結されている。この竿尻部３０は元竿１の穂先側端部より連結孔２０内に連結軸３２を挿入し、連結軸３２の竿元側端部を元竿１の連結孔２０の竿元側より突出させた状態で本体部３１に連結することにより、軸方向に移動可能に元竿１に連結されている。
【００１９】
このように構成された釣竿では、キャスティング等を行う場合や運搬時など竿尻部３０を身体の一部に押しつける必要がない場合には、連結軸３２を連結孔２０の穂先側まで挿入して嵌合部３１ａを逆テーパ部２０ｂに嵌合させて固定する。一方、キャスティング後において竿尻部３０を身体の一部に押しつけながらリトリーブ等のリール操作を行う場合には、連結軸３２を連結孔２０の竿元側に引き出して竿元側に延伸させて延伸位置に移動させる。ここでは、連結軸３２のテーパと連結孔２０のテーパとが噛み合って竿尻部３０は元竿１に固定される。
【００２０】
このように延伸位置に竿尻部３０を移動させることにより竿元側端部とリールとの距離が伸びて、竿尻部３０を身体の一部に当てながらリール操作を容易に行いことができる。
［第３実施形態］
以下、本発明の第３実施形態について図面を参照しつつ説明する。
【００２１】
図４に示すように、本発明の第３実施形態を採用した釣竿のリアグリップ４は、第１実施形態と同様に、コルク等の木材や合成樹脂からなる部材であって、元竿１の竿元側にはめ込まれて接着材等で固定されている。
このリアグリップ４が設けられた元竿１の竿元側には、竿元側端部から軸方向に形成された連結孔２０が設けられている。この連結孔２０の内周面には竿元側より雌ねじ部が形成されている。
【００２２】
竿尻部４０は、元竿１の竿元側に合致するように形成された低円柱状の本体部４１と、本体部４１より穂先側に延伸して形成された棒状の連結軸４２とを有している。連結軸４２はねじ山が形成されており雄ネジ部となっている。この竿尻部４０は、連結孔２０に連結軸４２を螺合させることによって、軸方向に移動可能なように元竿１に連結されている。
【００２３】
このように構成された釣竿では、キャスティング等を行う場合や運搬時など竿尻部４０を身体の一部に押しつける必要がない場合には、連結軸４２を回転させながら連結孔２０の穂先側まで螺合させて収納位置において固定する。一方、キャスティング後において元竿１を身体の一部に押しつけながらリトリーブ等のリール操作を行う場合には、連結軸４２を回転させて連結孔２０の竿元側に引き出して竿元側に延伸させて延伸位置に移動させる。また、収納位置と延伸位置との間の任意の箇所で、連結軸４２の軸方向への移動を止めて固定することもできる。
【００２４】
このように延伸位置に竿尻部４０を移動させることにより竿元側端部とリールとの距離が伸びて、竿尻部４０を身体の一部に当てながら容易にリール操作を行える。さらに、ユーザは各ユーザの身体の大きさや釣り環境に応じて、様々な長さに竿尻部４０を伸ばした状態で竿尻部４０を任意の位置で元竿１に固定できるので、リトリーブ等のリール操作がより容易になる。
【００２５】
［第４実施形態］
以下、本発明の第４実施形態について図面を参照しつつ説明する。
図５及び６に示すように、本発明の第４実施形態を採用した釣竿のリアグリップ４は、第１実施形態と同様に、コルク等の木材や合成樹脂からなる部材であって、元竿１の竿元側にはめ込まれて接着材等で固定されている。
【００２６】
このリアグリップ４が設けられた元竿１の竿元側には、竿元側端部より軸方向に形成された連結孔２０が設けられている。この連結孔２０は、図６に詳しく示すように、断面楕円状に形成されている。
竿尻部５０は、元竿１の竿元側に合致するように形成された低円柱状の本体部５１と、本体部５１より穂先側に延伸して形成された棒状の連結軸５２とを有している。連結軸５２の穂先側の頭端部には他の部分より大径でかつ断面楕円形状の頭端部５３が設けられている。この頭端部５３は連結孔２０の断面にほぼ合致するように弾性部材により形成されている。
【００２７】
このように構成された釣竿では、キャスティング等を行う場合や運搬時など竿尻部５０を身体の一部に押しつける必要がない場合には、連結軸５２の頭端部５３を連結孔２０の断面に合致させるようにして連結軸５２を連結孔２０の穂先側に移動させ収納位置に移動させる。ここで、連結軸５２を回転させて頭端部５３を連結孔２０に係止させて竿尻部５０を元竿１に固定する。一方、キャスティング後において竿尻部５０を身体の一部に押しつけながらリトリーブ等のリール操作を行う場合には、連結軸５２の頭端部５３を連結孔２０の断面に合致させるようにして連結軸５２を連結孔２０の竿元側に移動させ延伸位置に移動させる。ここで、連結軸５２を回転させて頭端部５３を連結孔２０に係止させて竿尻部５０を元竿１に固定する。なお、収納位置と延伸位置との間の任意の箇所で、連結軸５２の軸方向への移動を止めて固定することもできる。
【００２８】
［他の実施形態］
（ａ）本発明はルアー用の釣竿に限定されるものではなく、投竿や船竿等にも適応できる。
【００２９】
【発明の効果】
本発明にかかる釣竿によれば、必要に応じて元竿の竿元側端部伸縮させて身体に当てることができ、リトリーブ等の操作が容易になる。
【図面の簡単な説明】
【図１】本発明の第１実施形態を採用した釣竿の全体図。
【図２】図１のリアグリップ付近の拡大図。
【図３】本発明の第２実施形態を採用した釣竿のリアグリップ付近の拡大図。
【図４】本発明の第３実施形態を採用した釣竿のリアグリップ付近の拡大図。
【図５】本発明の第４実施形態を採用した釣竿のリアグリップ付近の拡大図。
【図６】図５のIV−IV断面図。
【符号の説明】
１  元竿
４  リアグリップ
５  リールシート
１０，３０，４０，５０  竿尻部
１１，３１，４１，５１  本体部
１２，３２，４２，５２  連結軸
２０  連結孔
【図１】
0003985920.tif 000002
【図２】
0003985920.tif 000003
【図３】
0003985920.tif 000004
【図４】
0003985920.tif 000005
【図５】
0003985920.tif 000006
【図６】
0003985920.tif 000007